(57)【要約】【課題】作業者がテープフィーダに間違ったリールを装着することを確実に防止できるようにする。【解決手段】テープフィーダ１１の装着軸１４に、これに装着可能なリール１３を特定するための装着規制凸条部１７を形成すると共に、リール１３の中心穴２０に、装着規制凸条部１７付きの装着軸１４に嵌合可能な形状に形成されたスプール２１を装着し、リール１３の交換時に装着規制凸条部１７付きの装着軸１４にリール１３を正しく装着できるか否かで、テープフィーダ１１とリール１３との組み合わせが正しいか否かを確認できるようにしている。【選択図】  図１
2004228483.tif 000002
【特許請求の範囲】
【請求項１】
多数の電子部品を持つ電子部品供給ユニットを、電子部品供給装置に設けた装着部に脱着可能に装着する電子部品供給装置の電子部品供給ユニット装着構造において、
前記電子部品供給装置の装着部に、これに装着可能な電子部品供給ユニットを特定するための装着規制部を設けると共に、前記電子部品供給ユニットに、前記装着規制部付きの装着部に結合可能な形状に形成された結合部を設け、前記装着規制部付きの装着部に前記電子部品供給ユニットを正しく装着できるか否かで、前記電子部品供給装置と前記電子部品供給ユニットとの組み合わせが正しいか否かを確認できるように構成したことを特徴とする電子部品供給装置の電子部品供給ユニット装着構造。
【請求項２】
請求項１に記載の電子部品供給装置の電子部品供給ユニット装着構造を備えたものにおいて、
前記電子部品供給装置と前記装着規制部の少なくとも一方、及び、前記電子部品供給ユニットと前記結合部の少なくとも一方に、それぞれ識別情報を記録した記録媒体を設け、それらの記録媒体から読み取った識別情報に基づいて、前記電子部品供給装置、前記装着規制部、前記電子部品供給ユニット及び前記結合部の組み合わせ等の情報をコンピュータで登録・管理することを特徴とするカートリッジ誤装着防止方法。
【請求項３】
多数の電子部品を保持したテープを巻回したリールを、テープフィーダに設けた装着軸に脱着可能に装着するテープフィーダのリール装着構造において、
前記テープフィーダの装着軸に、これに装着可能なリールを特定するための装着規制部を設けると共に、前記リールの中心穴に、前記装着規制部付きの装着軸に結合可能な形状に形成された結合部を設け、前記装着規制部付きの装着軸に前記リールを正しく装着できるか否かで、前記テープフィーダと前記リールとの組み合わせが正しいか否かを確認できるように構成したことを特徴とするテープフィーダのリール装着構造。
【請求項４】
前記装着規制部は、前記装着軸に一体に形成され、該装着軸が前記テープフィーダに取り替え可能に取り付けられていることを特徴とする請求項３に記載のテープフィーダのリール装着構造。
【請求項５】
前記装着規制部は、前記装着軸とは別体に形成され、該装着軸に取り替え可能に取り付けられていることを特徴とする請求項３に記載のテープフィーダのリール装着構造。
【請求項６】
前記結合部は、前記リールの中心穴に回転可能且つ取り替え可能に取り付けられていることを特徴とする請求項３乃至５のいずれかに記載のテープフィーダのリール装着構造。
【請求項７】
請求項３乃至６のいずれかに記載のテープフィーダのリール装着構造を備えたものにおいて、
前記テープフィーダと前記装着規制部の少なくとも一方、及び、前記リールと前記結合部の少なくとも一方に、それぞれ識別情報を記録した記録媒体を設け、それらの記録媒体から読み取った識別情報に基づいて、前記テープフィーダ、前記装着規制部、前記リール及び前記結合部の組み合わせ等の情報をコンピュータで登録・管理することを特徴とするリール誤装着防止方法。
【請求項８】
多数の電子部品を収容したカートリッジを、バルクフィーダに設けた装着部に脱着可能に装着するバルクフィーダのカートリッジ装着構造において、
前記バルクフィーダの装着部に、これに装着可能なカートリッジを特定するための装着規制部を設けると共に、前記カートリッジに、前記装着規制部付きの装着部に結合可能な形状に形成された結合部を設け、前記装着規制部付きの装着部に前記カートリッジを正しく装着できるか否かで、前記バルクフィーダと前記カートリッジとの組み合わせが正しいか否かを確認できるように構成したことを特徴とするバルクフィーダのカートリッジ装着構造。
【請求項９】
前記装着規制部は、前記バルクフィーダの装着部に取り替え可能に取り付けられ、
前記結合部は、前記カートリッジに取り替え可能に取り付けられていることを特徴とする請求項８に記載のバルクフィーダのカートリッジ装着構造。
【請求項１０】
請求項８又は９に記載のバルクフィーダのカートリッジ装着構造を備えたものにおいて、
前記バルクフィーダと前記装着規制部の少なくとも一方、及び、前記カートリッジと前記結合部の少なくとも一方に、それぞれ識別情報を記録した記録媒体を設け、それらの記録媒体から読み取った識別情報に基づいて、前記バルクフィーダ、前記装着規制部、前記カートリッジ及び前記結合部の組み合わせ等の情報をコンピュータで登録・管理することを特徴とするカートリッジ誤装着防止方法。
【発明の詳細な説明】
【０００１】
【発明の属する技術分野】
本発明は、電子部品実装機に電子部品を供給する電子部品供給装置の電子部品供給ユニットの装着構造及び電子部品供給ユニットの誤装着防止方法、テープフィーダのリール装着構造及びリール誤装着防止方法並びにバルクフィーダのカートリッジ装着構造及びカートリッジ誤装着防止方法に関するものである。
【０００２】
【従来の技術】
電子部品実装機に電子部品を供給する電子部品供給装置（フィーダ）として、テープフィーダやバルクフィーダが実用化されている。テープフィーダは、電子部品を保持したテープを巻回したリール（電子部品供給ユニット）を、テープフィーダに設けた装着軸に装着し、実装作業中は、電子部品の実装タイミングに同期してリールからテープをピッチ送りして実装機のノズルでテープから電子部品をピックアップして配線基板に実装するようにしている。そして、このリールのテープが空になる直前（又は直後）に、そのリールを新たなものと交換するようにしている。
【０００３】
１つの実装機は、多数のテープフィーダを装着した部品供給装置から多種類の電子部品が供給されるようになっているため、リール交換作業を行う場合は、予め新しいテープが装填された多数のリールの中から、１つのリールを選択してテープフィーダの空のリールと交換する必要がある。この際、作業者がリールの選択をミスして、間違ったリールをテープフィーダに装着してしまうことがあり、その結果、間違った電子部品を実装機に供給して不良品を生産してしまうことがあった。このような問題は、電子部品を収容したカートリッジを交換するバルクフィーダにおいても同様に発生する問題である。
【０００４】
このような問題を解決するために、特許文献１（特開平１１−１６３５９１号公報）に示すように、テープフィーダ（バルクフィーダ）とリール（カートリッジ）に、それぞれ識別情報を表したバーコードラベルを貼り付け、リール（カートリッジ）を交換する際に、テープフィーダ（バルクフィーダ）とリール（カートリッジ）のバーコードをバーコードリーダで読み取って、テープフィーダ（バルクフィーダ）とリール（カートリッジ）との組み合わせを確認できるようにしたものがある。
【０００５】
【特許文献１】
特開平１１−１６３５９１号公報（第１頁等）
【０００６】
【発明が解決しようとする課題】
しかし、リール（カートリッジ）の交換作業を行うのは、作業者であるため、リール（カートリッジ）の識別情報をバーコードリーダで読み取ったとしても、作業者のうっかりミス（見間違い、勘違い等）によって、間違ったリール（カートリッジ）をテープフィーダ（バルクフィーダ）に装着してしまうことがあり、その結果、間違った電子部品を実装機に供給して不良品を生産してしまうことがあった。
【０００７】
本発明はこのような事情を考慮してなされたものであり、従ってその目的は、作業者がテープフィーダ（バルクフィーダ）に間違ったリール（カートリッジ）を装着することを確実に防止できて、作業者のうっかりミスによる不良品の生産を未然に防止できる電子部品供給装置の電子部品供給ユニットの装着構造及び電子部品供給ユニットの誤装着防止方法、テープフィーダのリール装着構造及びリール誤装着防止方法並びにバルクフィーダのカートリッジ装着構造及びカートリッジ誤装着防止方法を提供することにある。
【０００８】
【課題を解決するための手段】
上記目的を達成するために、本発明の請求項１の電子部品供給装置の電子部品供給ユニットの装着構造は、電子部品供給装置の装着部に、これに装着可能な電子部品供給ユニットを特定するための装着規制部を設けると共に、前記電子部品供給ユニットに、前記装着規制部付きの装着部に結合可能な形状に形成された結合部を設け、前記装着規制部付きの装着部に前記電子部品供給ユニットを正しく装着できるか否かで、前記電子部品供給装置と前記電子部品供給ユニットとの組み合わせが正しいか否かを確認できるように構成したものである。このようにすれば、電子部品供給ユニットを交換する際に、作業者が正しい電子部品供給ユニットを選択すれば、その電子部品供給ユニットの結合部が電子部品供給装置の装着規制部に合致して、電子部品供給ユニットを電子部品供給装置の装着部に正しく装着できるが、作業者が間違った電子部品供給ユニットを選択すれば、その電子部品供給ユニットの結合部を電子部品供給装置の装着規制部付きの装着部に結合しようとしても結合できないため、間違った電子部品供給ユニットを電子部品供給装置に装着することを確実に防止できて、作業者のうっかりミスによる不良品の生産を未然に防止できる。
【０００９】
この場合、請求項２のように、電子部品供給装置と装着規制部の少なくとも一方、及び、電子部品供給ユニットと結合部の少なくとも一方に、それぞれ品番等の識別情報を記録した記録媒体を設け、それらの記録媒体から読み取った識別情報に基づいて、前記電子部品供給装置と前記装着規制部との組み合わせや、前記電子部品供給ユニット及び前記結合部の組み合わせ等の情報をコンピュータで登録・管理するようにしても良い。このようにすれば、電子部品供給装置及び／又は装着規制部の記録媒体からそれらの識別情報を読み取れば、該電子部品供給装置に装着できる電子部品供給ユニットと結合部の組み合わせをコンピュータで自動的に特定できるので、電子部品供給ユニットに結合部を装着するときや、電子部品供給ユニットの交換時に、必要とする結合部や電子部品供給ユニットの品番等の特定を容易に且つ正確に行うことができる。また、結合部及び／又は電子部品供給ユニットの記録媒体からそれらの識別情報を読み取れば、結合部と電子部品供給ユニットの組み合わせが正しいか否かを容易に且つ正確に確認することができる。
【００１０】
本発明をテープフィーダに適用する場合は、請求項３のように、テープフィーダの装着軸に、これに装着可能なリールを特定するための装着規制部を設けると共に、リールの中心穴に、前記装着規制部付きの装着軸に結合可能な形状に形成された結合部を設け、前記装着規制部付きの装着軸に前記リールを正しく装着できるか否かで、テープフィーダとリールとの組み合わせが正しいか否かを確認できるように構成すれば良い。このようにすれば、リールを交換する際に、作業者が正しいリールを選択すれば、そのリールの結合部がテープフィーダの装着規制部付きの装着軸に合致して、リールをテープフィーダの装着軸に正しく装着できるが、作業者が間違ったリールを選択すれば、そのリールの結合部をテープフィーダの装着規制部付きの装着軸に結合しようとしても結合できないため、間違ったリールをテープフィーダに装着することを確実に防止できて、作業者のうっかりミスによる不良品の生産を未然に防止できる。
【００１１】
この場合、請求項４のように、装着規制部を装着軸に一体に形成し、該装着軸をテープフィーダに取り替え可能に取り付ける構成としたり、或は、請求項３のように、装着規制部を装着軸とは別体に形成し、該装着軸に取り替え可能に取り付ける構成としても良い。いずれの構成を採用しても、装着規制部とテープフィーダとの組み合わせを自由に選択・変更することができると共に、１つの部品供給装置に装着されるテープフィーダの数が多くなれば、それに応じて装着規制部の種類を容易に増やして容易に取り替えることができ、後からでも装着規制部の変更が極めて容易である。
【００１２】
また、請求項６に示すように、装着規制部付きの装着軸に結合する結合部を、リールの中心穴に回転可能且つ取り替え可能に取り付ける構成とすると良い。このようにすれば、既製のリールに対して後付けで結合部を取り付けることができ、本発明を幅広く低コストで実用化できるという利点がある。
【００１３】
また、請求項７のように、テープフィーダと装着規制部の少なくとも一方、及び、リールと結合部の少なくとも一方に、それぞれ品番等の識別情報を記録した記録媒体を設け、それらの記録媒体から読み取った識別情報に基づいて、テープフィーダと装着規制部との組み合わせや、リールと結合部との組み合わせ等の情報をコンピュータで登録・管理するようにしても良い。このようにすれば、テープフィーダ及び／又は装着規制部の記録媒体からそれらの識別情報を読み取れば、該テープフィーダに装着できるリールと結合部の組み合わせをコンピュータで自動的に特定できるので、リールに結合部を装着するときや、リールの交換時に、必要とする結合部やリールの品番等の特定を容易に且つ正確に行うことができる。また、結合部及び／又はリールの記録媒体からそれらの識別情報を読み取れば、結合部とリールの組み合わせが正しいか否かを容易に且つ正確に確認することができる。
【００１４】
また、本発明をバルクフィーダに適用する場合は、請求項８のように、バルクフィーダの装着部に、これに装着可能なカートリッジを特定するための装着規制部を設けると共に、前記カートリッジに、前記装着規制部付きの装着部に結合可能な形状に形成された結合部を設け、前記装着規制部付きの装着部に前記カートリッジを正しく装着できるか否かで、バルクフィーダとカートリッジとの組み合わせが正しいか否かを確認できるように構成すれば良い。このようにすれば、カートリッジを交換する際に、作業者が正しいカートリッジを選択すれば、そのカートリッジの結合部がバルクフィーダの装着規制部に合致して、カートリッジをバルクフィーダの装着部に正しく装着できるが、作業者が間違ったカートリッジを選択すれば、そのカートリッジの結合部をバルクフィーダの装着規制部に結合しようとしても結合できないため、間違ったカートリッジをバルクフィーダに装着することを確実に防止できて、作業者のうっかりミスによる不良品の生産を未然に防止できる。
【００１５】
この場合、請求項９のように、装着規制部をバルクフィーダの装着部に取り替え可能に取り付け、結合部をカートリッジに取り替え可能に取り付ける構成としても良い。このようにすれば、装着規制部とバルクフィーダとの組み合わせや結合部とカートリッジとの組み合わせを自由に選択・変更することができると共に、１つの部品供給装置に装着されるバルクフィーダの数が多くなれば、それに応じて装着規制部や結合部の種類を容易に増やして装着規制部や結合部を取り替えることができ、後からでも装着規制部や結合部の変更が極めて容易である。
【００１６】
また、請求項１０のように、バルクフィーダと装着規制部の少なくとも一方、及び、カートリッジと結合部の少なくとも一方に、それぞれ品番等の識別情報を記録した記録媒体を設け、それらの記録媒体から読み取った識別情報に基づいて、バルクフィーダ、装着規制部、カートリッジ及び結合部の組み合わせ等の情報をコンピュータで登録・管理するようにしても良い。このようにすれば、バルクフィーダ及び／又は装着規制部の記録媒体からそれらの識別情報を読み取れば、該バルクフィーダに装着できるカートリッジと結合部の組み合わせをコンピュータで自動的に特定できるので、カートリッジに結合部を装着するときや、カートリッジの交換時に、必要とする結合部やカートリッジの品番等の特定を容易に且つ正確に行うことができる。また、結合部及び／又はカートリッジの記録媒体からそれらの識別情報を読み取れば、結合部とカートリッジの組み合わせが正しいか否かを容易に且つ正確に確認することができる。
【００１７】
【発明の実施の形態】
［実施形態（１）］
以下、本発明をテープフィーダに適用した実施形態（１）を図１乃至図５に基づいて説明する。
【００１８】
テープフィーダ１１（図４参照）の本体プレート１２には、リール１３（電子部品供給ユニット）を装着するための装着軸１４がネジ１５（図２参照）によって取り替え可能に取り付けられている。市販のテープフィーダは、図２（ｃ）に示すように、係止鍔部１５付きの装着軸１６がネジ１５によって取り付けられているため、このネジ１５を取り外して係止鍔部１５付きの装着軸１６を取り外し、本実施形態（１）の装着軸１４を同じネジ１５で取り付ければ良い。
【００１９】
本実施形態（１）では、図２（ａ），（ｂ）に示すように、装着軸１４の外周部に１本又は複数本の装着規制凸条部１７（装着規制部）が軸方向に延びるように形成されている。この場合、予め、装着規制凸条部１７の本数、形成間隔、断面形状等が異なる複数種類の装着軸１４が準備され、その中から、取り付ける装着軸１４を選択することで、当該装着軸１４に装着可能なリール１３を特定するようにしている。
【００２０】
図５に示すように、リール１３には、電子部品１８を所定ピッチで収容保持したテープ１９が装填されている。図３に示すように、リール１３の中心穴２０には、スプール２１（結合部）が回転可能且つ取り替え可能に取り付けられている。このスプール２１は、リール１３の中心穴２０に嵌め込まれる円筒部２１ａの両端にそれぞれフランジ部２１ｂ，２１ｃを設けた構成であり、一方のフランジ部２１ｂは円筒部２１ａに一体に形成され、他方のフランジ部２１ｃは、円筒部２１ａに形成された弾性係合爪２２によって係合保持する構成となっている。従って、スプール２１をリール１３の中心穴２０に装着する場合は、他方のフランジ部２１ｃを取り外した状態で円筒部２１ａをリール１３の中心穴２０に嵌め込んだ後、円筒部２１ａの弾性係合爪２２に他方のフランジ部２１ｃの係合孔２３を嵌め込んで係合させれば良い。また、スプール２１の取り替え時等にリール１３からスプール２１を取り外す場合は、弾性係合爪２２を弾性変形させて係合孔２３から抜き出せば良い。尚、スプール２１の円筒部２１ａとフランジ部２１ｃとをネジ止め、接着、融着等により固定するようにしても良いことは言うまでもない。
【００２１】
このスプール２１の円筒部２１ａの内径寸法は、装着軸１４の外形寸法よりも若干大きく形成され、且つ、円筒部２１ａの内周部には、装着軸１４の装着規制凸条部１７の本数と同数の嵌合溝２４が、装着規制凸条部１７と同じ位置に軸方向に延びるように形成され、各嵌合溝２４を装着軸１４の各装着規制凸条部１７に挿入できるようになっている。この場合、予め、嵌合溝２４の本数、形成間隔、断面形状等が異なる複数種類のスプール２１が準備され、その中から、装着規制凸条部１７付きの装着軸１４に嵌合可能なスプール２１を選択するようにしている。
【００２２】
図２（ｃ）に示すように、従来の装着軸１６は、その先端部に係止鍔部１５が形成され、この係止鍔部１５の外形寸法をリール１３の中心穴２０の内径寸法よりも若干小さく形成することで、該係止鍔部１５をリール１３の中心穴２０に挿通できるようになっており、リール１３の中心穴２０を装着軸１６に完全に挿通して、リール１３を装着軸１６に支持させれば、リール１３が係止鍔部１５によって抜け止めされるようになっている。
【００２３】
これに対して、本実施形態（１）のように、装着軸１４の外周部に装着規制凸条部１７を形成すると、従来の係止鍔部１５を形成することができないため、いわゆるバヨネット係合方式でリール１３を抜け止めするようにしている。具体的には、図１（ｃ）に示すように、嵌合溝２４をＬ字形状に形成して係合溝部２４ａを形成し、装着軸１４にスプール２１を嵌め込む際に、装着軸１４の装着規制凸条部１７に嵌合溝２４を挿入してスプール２１を回動させることで、装着規制凸条部１７に係合溝部２４ａを係合させてリール１３を抜け止めする。尚、リール１３からテープ１９を引き出す際に、その引き出し力によって装着規制凸条部１７と係合溝部２４ａとの係合が外れないようにするために、スプール２１をテープ１９の引き出し方向に回動させたときに係合溝部２４ａが装着規制凸条部１７に嵌まり込んだ状態に保持されるように形成されている。
【００２４】
本実施形態（１）では、テープフィーダ１１、装着軸１４（装着規制凸条部１７）、リール１３及びスプール２１の管理を容易にするために、テープフィーダ１１、装着軸１４（装着規制凸条部１７）、リール１３及びスプール２１には、それぞれ品番等の識別情報を記録したバーコードラベル等の記録媒体２５〜２８（図２（ｂ）、図３（ａ）、図４、図５参照）が設けられ、これらの記録媒体２５〜２８からバーコードリーダ等の情報読取装置（図示せず）によって読み取った識別情報がコンピュータ（図示せず）で登録・管理できるようになっている。
例えば、テープフィーダ１１と装着軸１４（装着規制凸条部１７）の記録媒体２５，２６に記録されている品番等の識別情報を読み取れば、該テープフィーダ１１に装着できるリール１３とスプール２１の組み合わせをコンピュータで自動的に特定できるようになっている。これにより、リール１３にスプール２１を装着するときや、リール１３の交換時に、必要とするスプール２１やリール１３の品番等の特定を容易に且つ正確に行うことができる。また、スプール２１やリール１３の記録媒体２７，２８からそれらの識別情報を読み取れば、スプール２１とリール１３の組み合わせが正しいか否かを容易に且つ正確に確認することができる。
【００２５】
以上説明した本実施形態（１）では、テープフィーダ１１の装着軸１４に、これに装着可能なリール１３を特定するための装着規制凸条部１７を形成すると共に、リール１３の中心穴２０に、装着規制凸条部１７付きの装着軸１４に嵌合可能な形状に形成されたスプール２１を装着し、リール１３の交換時に装着規制凸条部１７付きの装着軸１４にリール１３を正しく装着できるか否かで、テープフィーダ１１とリール１３との組み合わせが正しいか否かを確認できるように構成している。従って、リール１３のテープ１９が空になる直前（又は直後）に、そのリール１３を新たなものと交換する際に、作業者が正しいリール１３を選択すれば、そのリール１３のスプール２１の嵌合溝２４がテープフィーダ１１の装着軸１４の装着規制凸条部１７に合致して、リール１３をテープフィーダ１１の装着軸１４に正しく装着できるが、作業者が間違ったリール１３を選択すれば、そのリール１３のスプール２１をテープフィーダ１１の装着軸１４に嵌合しようとしても嵌合できないため、間違ったリール１３をテープフィーダ１１に装着することを確実に防止できて、作業者のうっかりミスによる不良品の生産を未然に防止できる。
【００２６】
また、本実施形態（１）では、装着軸１４に装着規制凸条部１７を一体に形成して、該装着軸１４をテープフィーダ１１に取り替え可能に取り付ける構成としたので、装着軸１４（装着規制凸条部１７）とテープフィーダ１１との組み合わせを自由に選択・変更することができると共に、１つの部品供給装置に装着されるテープフィーダ１１の数が多くなれば、それに応じて装着軸１４（装着規制凸条部１７）の種類を容易に増やして容易に取り替えることができ、後からでも装着規制凸条部１７の変更が極めて容易であるという利点がある。
【００２７】
尚、装着軸と装着規制凸条部（装着規制部）とを別体に形成し、該装着軸に装着規制凸条部（装着規制部）を取り替え可能に取り付ける構成としても良い。この構成でも、本実施形態（１）と同様の効果を得ることができる。
【００２８】
勿論、本発明は、テープフィーダに装着規制凸条部（装着規制部）付きの装着軸を取り替え不能な手段で取り付けるようにしても良く、この場合でも、本発明の所期の目的を十分に達成することができる。
【００２９】
また、本実施形態（１）では、スプール２１（結合部）をリール１３の中心穴２０に回転可能且つ取り替え可能に取り付ける構成としたので、既製のリールに対して後付けでスプール２１を取り付けることができ、本発明を幅広く低コストで実用化できるという利点がある。
【００３０】
しかしながら、本発明は、スプール２１（結合部）をリール１３の中心穴２０に取り替え不能な手段で取り付けるようにしても良く、この場合でも、本発明の所期の目的を十分に達成することができる。
【００３１】
また、本実施形態（１）では、装着軸１４の外周部に装着規制凸条部１７を形成し、スプール２１の内周部に嵌合溝２４を形成するようにしたが、これとは反対に、装着軸１４の外周部に装着規制用の嵌合溝を形成し、スプール２１の内周部に凸条部を形成するようにしても良い。或は、装着軸１４の外周部に装着規制用の凸条部と嵌合溝の両方を形成し、それに対応して、スプール２１の内周部に嵌合溝と凸条部の両方を形成するようにしても良い。
【００３２】
尚、本実施形態（１）では、テープフィーダ１１、装着軸１４（装着規制凸条部１７）、リール１３及びスプール２１に、全てバーコードラベル等の記録媒体２５〜２８を設けるようにしたが、テープフィーダ１１と装着軸１４（装着規制凸条部１７）のいずれか一方、及び、リール１３とスプール２１のいずれか一方のみに記録媒体を設けるようにしても良く、この場合でも、組み合わせが正しいか否かを確認することができる。
【００３３】
［実施形態（２）］
次に、本発明をバルクフィーダに適用した実施形態（２）を図６及び図７に基づいて説明する。
【００３４】
バルクフィーダ３１の装着部３２には、これに装着可能なカートリッジ３３（電子部品供給ユニット）を特定するための装着規制筒部３４（装着規制部）が例えばネジ止め又は係合手段により取り替え可能に取り付けられている。この装着規制筒部３４の内側面部には、１本又は複数本の嵌合溝３５が上下方向に延びるように形成されている。この場合、予め、嵌合溝３５の本数、形成間隔、形成位置、断面形状等が異なる複数種類の装着規制筒部３４が準備され、その中から、取り付ける装着規制筒部３４を選択することで、当該装着規制筒部３４に嵌合可能なカートリッジ３３を特定するようにしている。
【００３５】
多数の電子部品を収容したカートリッジ３３の下部には、装着規制筒部３４内に嵌合（結合）するための嵌合部３６（結合部）が例えばネジ止め又は係合手段により取り替え可能に取り付けられている。この嵌合部３６の外周部には、装着規制筒部３４の嵌合溝３５の本数と同数の凸条部３７が、嵌合溝３５と同じ位置に上下方向に延びるように形成され、各凸条部３７を各嵌合溝３５に挿入できるようになっている。この場合、予め凸条部３７の本数、形成間隔、形成位置、断面形状等が異なる複数種類の嵌合部３６が準備され、その中から、バルクフィーダ３１の装着規制筒部３４に嵌合可能な嵌合部３６を選択するようにしている。
【００３６】
本実施形態（２）では、バルクフィーダ３１、装着規制筒部３４、カートリッジ３３及び嵌合部３６の管理を容易にするために、バルクフィーダ３１、装着規制筒部３４、カートリッジ３３及び嵌合部３６には、それぞれ品番等の識別情報を記録したバーコードラベル等の記録媒体３８〜４１が設けられ、これらの記録媒体３８〜４０からバーコードリーダ等の情報読取装置（図示せず）によって読み取った識別情報がコンピュータ（図示せず）で登録・管理できるようになっている。例えば、バルクフィーダ３１と装着規制筒部３４の記録媒体３８，３９に記録されている品番等の識別情報を読み取れば、該バルクフィーダ３１に装着できるカートリッジ３３と嵌合部３６の組み合わせをコンピュータで自動的に特定できるようになっている。これにより、カートリッジ３３に嵌合部３６を装着するときや、カートリッジ３３の交換時に、必要とする嵌合部３６やカートリッジ３３の品番等の特定を容易に且つ正確に行うことができる。また、嵌合部３６やカートリッジ３３の記録媒体４０，４１からそれらの識別情報を読み取れば、ス嵌合部３６とカートリッジ３３の組み合わせが正しいか否かを容易に且つ正確に確認することができる。
【００３７】
以上説明した本実施形態（２）では、バルクフィーダ３１の装着部３２に、これに装着可能なカートリッジ３３を特定するための装着規制筒部３４を設けると共に、カートリッジ３３に、装着規制筒部３４に嵌合可能な形状に形成された嵌合部３６を設け、カートリッジ３３の交換時に装着規制筒部３４にカートリッジ３３を正しく装着できるか否かで、バルクフィーダ３１とカートリッジ３３との組み合わせが正しいか否かを確認できるように構成している。従って、カートリッジ３３内の電子部品が空になる直前（又は直後）に、そのカートリッジ３３を新たなものと交換する際に、作業者が正しいカートリッジ３３を選択すれば、そのカートリッジ３３の嵌合部３６の凸条部３７がバルクフィーダ３１の装着規制筒部３４の嵌合溝３５に合致して、カートリッジ３３をバルクフィーダ３１の装着規制筒部３４に嵌合できるが、作業者が間違ったカートリッジ３３を選択すれば、そのカートリッジ３３の嵌合部３６をバルクフィーダ３１の装着規制筒部３４に嵌合しようとしても嵌合できないため、間違ったカートリッジ３３をバルクフィーダ３１に装着することを確実に防止できて、作業者のうっかりミスによる不良品の生産を未然に防止できる。
【００３８】
しかも、本実施形態（２）では、装着規制筒部３４をバルクフィーダ３１の装着部３２に取り替え可能に取り付け、嵌合部３６をカートリッジ３３に取り替え可能に取り付ける構成としたので、装着規制筒部３４とバルクフィーダ３１との組み合わせや嵌合部３６とカートリッジ３３との組み合わせを自由に選択・変更することができると共に、１つの部品供給装置に装着されるバルクフィーダ３１の数が多くなれば、それに応じて装着規制筒部３４や嵌合部３６の種類を容易に増やして装着規制筒部３４や嵌合部３６を取り替えることができ、後からでも装着規制筒部３４や嵌合部３６の変更が極めて容易であるという利点がある。
【００３９】
但し、本発明は、装着規制筒部３４をバルクフィーダ３１の装着部３２に取り替え不能な手段で取り付けたり、一体に形成するようにしても良い。また、嵌合部３６をカートリッジ３３に取り替え不能な手段で取り付けたり、一体に形成するようにしても良い。これらいずれの場合でも、本発明の所期の目的を十分に達成することができる。
【００４０】
また、本実施形態（２）では、装着規制筒部３４の内周部に嵌合溝３５を形成し、嵌合部３６の外周部に凸条部３７を形成したが、これとは反対に、装着規制筒部３４の内周部に凸条部を形成し、嵌合部３６の外周部に嵌合溝を形成するようにしても良い。或は、装着規制筒部３４の内周部に凸条部と嵌合溝の両方を形成し、それに対応して、嵌合部３６の外周部に嵌合溝と凸条部の両方を形成するようにしても良い。
【００４１】
尚、本実施形態（２）では、バルクフィーダ３１、装着規制筒部３４、カートリッジ３３及び嵌合部３６に、全て記録媒体３８〜４１を設けるようにしたが、バルクフィーダ３１と装着規制筒部３４のいずれか一方、及び、カートリッジ３３と嵌合部３６のいずれか一方のみに記録媒体を設けるようにしても良く、この場合でも、組み合わせが正しいか否かを確認することができる。
【００４２】
その他、本発明の適用範囲は、テープフィーダやバルクフィーダに限定されず、多数の電子部品を持つ電子部品供給ユニットを、電子部品供給装置に設けた装着部に脱着可能に装着する構成の電子部品供給装置に本発明を広く適用して実施することができる。
【図面の簡単な説明】
【図１】（ａ）は本発明の実施形態（１）におけるテープフィーダのリール装着構造の断面図、（ｂ）はスプールの中心方向から見た嵌合溝の形状を説明する図
【図２】（ａ）は本実施形態（１）の装着軸の正面図、（ｂ）は同装着軸の右側面図、（ｃ）は従来の装着軸の正面図
【図３】（ａ）はスプールの左側面図、（ｂ）はリールへのスプールの取付状態を示す図、（ｃ）はスプールの右側面図、（ｃ）はスプールの円筒部とフランジ部との係合構造を示す断面図
【図４】テープフィーダの斜視図
【図５】リールの斜視図
【図６】本発明の実施形態（２）におけるバルクフィーダのカートリッジの装着構造の分解斜視図
【図７】カートリッジが装着されたバルクフィーダの装着構造部分を破断して示す正面図
【符号の説明】
１１…テープフィーダ（電子部品供給装置）、１２…本体プレート、１３…リール（電子部品供給ユニット）、１４…装着軸、１５…ネジ、１７…装着規制凸条部（装着規制部）、１８…電子部品、１９…テープ、２０…中心穴、２１…スプール（結合部）、２１ａ…円筒部、２１ｂ，２１ｃ…フランジ部、２２…弾性係合爪、２３…係合孔、２４…嵌合溝、２４ａ…係合溝部、２５〜２８…記録媒体、３１…バルクフィーダ（電子部品供給装置）、３２…装着部、３３…カートリッジ（電子部品供給ユニット）、３４…装着規制筒部（装着規制部）、３５…嵌合溝、３６…嵌合部（結合部）、３７…凸条部、３８〜４１…記録媒体。
【図１】
2004228483.tif 000003
【図２】
2004228483.tif 000004
【図３】
2004228483.tif 000005
【図４】
2004228483.tif 000006
【図５】
2004228483.tif 000007
【図６】
2004228483.tif 000008
【図７】
2004228483.tif 000009